(57)【要約】  本開示は、二重接続切り替え方法、端末及びネットワーク機器を開示した。その方法は、ソースノードから送信された、ソースノード及びターゲットノードの二重接続ＤＣ配置情報、及びターゲットノードの一重接続ＳＣ配置情報が携帯されている切り替えコマンドを受信すること、ＤＣ配置情報をサポートする時、ＤＣ配置情報に基づき、ソースノード及びターゲットノードとの間の二重接続を確立すること、およびＳＣ配置情報に基づき、二重接続のうち、ソースノードとの接続を切断し、ターゲットノードとの一重接続を保持することを含む。
2022502953.tif 000002
【特許請求の範囲】
【請求項１】
端末側に用いられる二重接続切り替え方法であって、
ソースノードから送信された、前記ソースノード及びターゲットノードの二重接続ＤＣ配置情報、及び前記ターゲットノードの一重接続ＳＣ配置情報が携帯されている切り替えコマンドを受信すること、
前記ＤＣ配置情報をサポートする時、前記ＤＣ配置情報に基づき、前記ソースノード及び前記ターゲットノードとの間の二重接続を確立すること、および
前記ＳＣ配置情報に基づき、前記二重接続のうち、前記ソースノードとの接続を切断し、前記ターゲットノードとの一重接続を保持することを含む、二重接続切り替え方法。
【請求項２】
ソースノードから送信された切り替えコマンドを受信するステップの後、前記二重接続切り替え方法は、さらに、
前記ＤＣ配置情報をサポートしない時、前記ソースノードへ、前記ＤＣ配置情報を拒絶する拒絶メッセージを送信することにより、前記ソースノードが前記拒絶メッセージに基づき一重接続切り替えフローを実行することを含む、請求項１に記載の二重接続切り替え方法。
【請求項３】
ソースノードから送信された切り替えコマンドを受信するステップの後、前記二重接続切り替え方法はさらに、
前記切り替えコマンドに基づき、前記ソースノードへ第一の確認情報を送信することを含み、そのうち、前記第一の確認情報は、
前記切り替えコマンドが受信されたかどうか、
前記ＤＣ配置情報が正当であるかどうか、
前記ＳＣ配置情報が正当であるかどうか、
前記二重接続が確立されたかどうか、及び
前記ＳＣ配置情報が応用されたかどうか、のうちの少なくとも一つを確認するために用いられる、請求項１に記載の二重接続切り替え方法。
【請求項４】
前記ＤＣ配置情報に基づき、前記ソースノード及び前記ターゲットノードとの間の二重接続を確立するステップの後、前記二重接続切り替え方法は、さらに、
前記ソースノード及び／又はターゲットノードへ、前記二重接続がすでに確立された第二の確認情報を送信することを含む、請求項１に記載の二重接続切り替え方法。
【請求項５】
前記ＳＣ配置情報に基づき、前記二重接続のうち、前記ソースノードとの接続を切断し、前記ターゲットノードとの一重接続を保持するステップの後、前記二重接続切り替え方法は、さらに、
前記ターゲットノードへ切り替え完成メッセージを送信することを含み、そのうち、前記切り替え完成メッセージは、
前記ＳＣ配置情報がすでに応用されたこと、および
切り替えが完成したこと、のうちの少なくとも一つを指示するために用いられる、請求項１に記載の二重接続切り替え方法。
【請求項６】
前記切り替えコマンドは、無線リソース制御ＲＲＣ再配置メッセージに携帯されており、前記ＲＲＣ再配置メッセージは、第一の業務識別子を有する、請求項１に記載の二重接続切り替え方法。
【請求項７】
前記ＤＣ配置情報及び／又は前記ＳＣ配置情報は、第二の業務識別子を有し、前記第二の業務識別子は、前記第一の業務識別子と異なる、請求項６に記載の二重接続切り替え方法。
【請求項８】
ソースノードから送信された、前記ソースノード及びターゲットノードの二重接続ＤＣ配置情報、及び前記ターゲットノードの一重接続ＳＣ配置情報が携帯されている切り替えコマンドを受信するための第一の受信モジュール、
前記ＤＣ配置情報をサポートする時、前記ＤＣ配置情報に基づき、前記ソースノード及び前記ターゲットノードとの間の二重接続を確立するための第一の確立モジュール、および
前記ＳＣ配置情報に基づき、前記二重接続のうち、前記ソースノードとの接続を切断し、前記ターゲットノードとの一重接続を保持するための切り替えモジュールを含む、端末。
【請求項９】
前記ＤＣ配置情報をサポートしない時、前記ソースノードへ、前記ＤＣ配置情報を拒絶する拒絶メッセージを送信することにより、前記ソースノードが前記拒絶メッセージに基づき一重接続切り替えフローを実行するための第一の送信モジュールをさらに含む、請求項８に記載の端末。
【請求項１０】
前記切り替えコマンドに基づき、前記ソースノードへ第一の確認情報を送信するための第二の送信モジュールをさらに含み、そのうち、前記第一の確認情報は、
前記切り替えコマンドが受信されたかどうか、
前記ＤＣ配置情報が正当であるかどうか、
前記ＳＣ配置情報が正当であるかどうか、
前記二重接続が確立されたかどうか、及び
前記ＳＣ配置情報が応用されたかどうか、のうちの少なくとも一つを確認するために用いられる、請求項８に記載の端末。
【請求項１１】
前記ソースノード及び／又はターゲットノードへ、前記二重接続がすでに確立された第二の確認情報を送信するための第三の送信モジュールをさらに含む、請求項８に記載の端末。
【請求項１２】
前記ターゲットノードへ切り替え完成メッセージを送信するための第四の送信モジュールをさらに含み、そのうち、前記切り替え完成メッセージは、
前記ＳＣ配置情報がすでに応用されたこと、および
切り替えが完成したこと、のうちの少なくとも一つを指示するために用いられる、請求項８に記載の端末。
【請求項１３】
前記切り替えコマンドは、無線リソース制御ＲＲＣ再配置メッセージに携帯されており、前記ＲＲＣ再配置メッセージは、第一の業務識別子を有する、請求項８に記載の端末。
【請求項１４】
前記ＤＣ配置情報及び／又は前記ＳＣ配置情報は、第二の業務識別子を有し、前記第二の業務識別子は、前記第一の業務識別子と異なる、請求項１３に記載の端末。
【請求項１５】
プロセッサ、メモリ、及び、前記メモリに記憶されており、前記プロセッサ上で運行できるコンピュータプログラムを含み、前記コンピュータプログラムが前記プロセッサによって実行される時、請求項１〜７のいずれか１項に記載の二重接続切り替え方法のステップを実現させる、端末。
【請求項１６】
ネットワーク機器側に用いられる二重接続切り替え方法であって、
前記ネットワーク機器は、ソースノードであり、
前記ソースノード及びターゲットノードの二重接続ＤＣ配置情報、及び前記ターゲットノードの一重接続ＳＣ配置情報が携帯されている切り替えコマンドを端末に送信することを含む、二重接続切り替え方法。
【請求項１７】
端末へ切り替えコマンドを送信するステップの前、前記二重接続切り替え方法は、さらに、
一重接続における前記ソースノードの配置情報、及び二重接続における前記ソースノードの配置情報が携帯されている切り替え要求をターゲットノードに送信すること、および
前記ターゲットノードからフィードバックされた、前記ＤＣ配置情報及び前記ＳＣ配置情報が携帯されている切り替え要求応答を受信すること、を含む、請求項１６に記載の二重接続切り替え方法。
【請求項１８】
端末へ切り替えコマンドを送信するステップの後、前記二重接続切り替え方法は、さらに、
前記端末から送信された、前記ＤＣ配置情報の拒絶を前記端末へ指示するための拒絶メッセージを受信すること、および
前記拒絶メッセージに基づき、一重接続切り替えフローを実行することを含む、請求項１６に記載の二重接続切り替え方法。
【請求項１９】
端末へ切り替えコマンドを送信するステップの後、前記二重接続切り替え方法は、さらに、
前記端末から送信された第一の確認情報を受信することを含み、そのうち、前記第一の確認情報は、
前記切り替えコマンドが受信されたかどうか、
前記ＤＣ配置情報が正当であるかどうか、
前記ＳＣ配置情報が正当であるかどうか、
前記二重接続が確立されたかどうか、及び
前記ＳＣ配置情報が応用されたかどうか、のうちの少なくとも一つを確認するために用いられる、請求項１６に記載の二重接続切り替え方法。
【請求項２０】
前記端末から送信された第一の確認情報を受信するステップの後、前記二重接続切り替え方法は、さらに、
ターゲットノードへ第一の切り替え確認メッセージを送信すること、および
前記ターゲットノードによって前記第一の切り替え確認メッセージに基づきフィードバックされた第二の切り替え確認メッセージを受信すること、請求項１９に記載の二重接続切り替え方法。
【請求項２１】
端末へ切り替えコマンドを送信するステップの後、前記二重接続切り替え方法はさらに、
前記端末またはターゲットノードから送信された、前記二重接続がすでに確立されたことを指示するための第二の確認情報を受信すること含む、請求項１６に記載の二重接続切り替え方法。
【請求項２２】
ソースノードであるネットワーク機器であって、
前記ソースノード及びターゲットノードの二重接続ＤＣ配置情報、及び前記ターゲットノードの一重接続ＳＣ配置情報が携帯されている切り替えコマンドを端末に送信するための第五の送信モジュールを含む、ネットワーク機器。
【請求項２３】
一重接続における前記ソースノードの配置情報、及び二重接続における前記ソースノードの配置情報が携帯されている切り替え要求をターゲットノードに送信するための第六の送信モジュール、および
前記ターゲットノードからフィードバックされた、前記ＤＣ配置情報及び前記ＳＣ配置情報が携帯されている切り替え要求応答を受信するための第二の受信モジュールをさらに含む、請求項２２に記載のネットワーク機器。
【請求項２４】
前記端末から送信された、前記ＤＣ配置情報の拒絶を前記端末へ指示するための拒絶メッセージを受信するための第三の受信モジュール、および
前記拒絶メッセージに基づき、一重接続切り替えフローを実行するための処理モジュールをさらに含む、請求項２２に記載のネットワーク機器。
【請求項２５】
前記端末から送信された第一の確認情報を受信するための第四の受信モジュールをさらに含み、そのうち、前記第一の確認情報は、
前記切り替えコマンドが受信されたかどうか、
前記ＤＣ配置情報が正当であるかどうか、
前記ＳＣ配置情報が正当であるかどうか、
前記二重接続が確立されたかどうか、及び
前記ＳＣ配置情報が応用されたかどうか、のうちの少なくとも一つを確認するために用いられる、請求項２２に記載のネットワーク機器。
【請求項２６】
ターゲットノードへ第一の切り替え確認メッセージを送信するための第七の送信モジュール、および
前記ターゲットノードによって前記第一の切り替え確認メッセージに基づきフィードバックされた第二の切り替え確認メッセージを受信するための第五の受信モジュールをさらに含む、請求項２５に記載のネットワーク機器。
【請求項２７】
前記端末またはターゲットノードから送信された、前記二重接続がすでに確立されたことを指示するための第二の確認情報を受信するための第六の受信モジュールをさらに含む、請求項２２に記載のネットワーク機器。
【請求項２８】
プロセッサ、メモリ、及び、前記メモリに記憶されており、前記プロセッサ上で運行できるコンピュータプログラムを含み、前記コンピュータプログラムが前記プロセッサによって実行される時、請求項１６〜２１のいずれか一項に記載の二重接続切り替え方法のステップを実現させる、ネットワーク機器。
【請求項２９】
コンピュータプログラムが記憶されており、前記コンピュータプログラムがプロセッサによって実行される時、請求項１〜８、１６〜２１のいずれか１項に記載の二重接続切り替え方法のステップを実現させる、コンピュータ可読記憶媒体。
【発明の詳細な説明】
【技術分野】
【０００１】
本開示は、通信技術分野に関し、特に、二重接続切り替え方法、端末及びネットワーク機器に関する。
（関連出願の相互参照）
本出願は、２０１８年９月２７日に中国で提出された中国特許出願番号第Ｎｏ．２０１８１１１３４４０７．８号の優先権を主張しており、同出願の内容の全ては、ここに参照として取り込まれる。
【背景技術】
【０００２】
移動通信システムでは、端末が移動中に通信中断を発生しないように確保するために、端末は、セルの切り替えをする必要がある。切り替えのある瞬間においては、ＵＥは、ある一つのネットワークエンティティとのデータの送受信しか保持できない。このように、一つのネットワークエンティティからもう一つのネットワークエンティティへの切り替えプロセスを行う時、エアインタフェース（Ａｉｒ  ｉｎｔｅｒｆａｃｅ）のデータの中断になり、０ｍｓ時間遅延要求を満たすことができない。
【発明の概要】
【発明が解決しようとする課題】
【０００３】
本開示のいくつかの実施例は、切り替えプロセスによって０ｍｓ時間遅延が実現されることができない問題を解決するための二重接続切り替え方法、端末及びネットワーク機器を提供する。
【課題を解決するための手段】
【０００４】
第一の方面によれば、本開示のいくつかの実施例は、端末側に用いられる二重接続切り替え方法を提供する。前記二重接続切り替え方法は、
ソースノードから送信された、ソースノード及びターゲットノードの二重接続ＤＣ配置情報、及びターゲットノードの一重接続ＳＣ配置情報が携帯されている切り替えコマンドを受信すること、
ＤＣ配置情報をサポートする時、ＤＣ配置情報に基づき、ソースノード及びターゲットノードとの間の二重接続を確立すること、および
ＳＣ配置情報に基づき、二重接続のうち、ソースノードとの接続を切断し、ターゲットノードとの一重接続を保持することを含む。
【０００５】
第二の方面によれば、本開示のいくつかの実施例はさらに、端末を提供する。前記端末は、
ソースノードから送信された、ソースノード及びターゲットノードの二重接続ＤＣ配置情報、及びターゲットノードの一重接続ＳＣ配置情報が携帯されている切り替えコマンドを受信するための第一の受信モジュール、
ＤＣ配置情報をサポートする時、ＤＣ配置情報に基づき、ソースノード及びターゲットノードとの間の二重接続を確立するための第一の確立モジュール、および
ＳＣ配置情報に基づき、二重接続のうち、ソースノードとの接続を切断し、ターゲットノードとの一重接続を保持するための切り替えモジュールを含む。
【０００６】
第三の方面によれば、本開示のいくつかの実施例は、端末を提供する。端末は、プロセッサ、メモリ、及びメモリに記憶されており、プロセッサ上で運行できるコンピュータプログラムを含み、コンピュータプログラムがプロセッサによって実行される時、上述した二重接続切り替え方法のステップを実現させる。
【０００７】
第四の方面によれば、本開示のいくつかの実施例は、ネットワーク機器側に用いられる二重接続切り替え方法を提供する。ネットワーク機器は、ソースノードであり、
ソースノード及びターゲットノードの二重接続ＤＣ配置情報、及びターゲットノードの一重接続ＳＣ配置情報が携帯されている切り替えコマンドを端末に送信することを含む。
【０００８】
第五の方面によれば、本開示のいくつかの実施例は、ネットワーク機器を提供する。ネットワーク機器は、ソースノードであり、
ソースノード及びターゲットノードの二重接続ＤＣ配置情報、及びターゲットノードの一重接続ＳＣ配置情報が携帯されている切り替えコマンドを端末に送信するための第五の送信モジュールを含む。
【０００９】
第六の方面によれば、本開示のいくつかの実施例はさらに、ネットワーク機器を提供する。ネットワーク機器は、プロセッサ、メモリ、及びメモリに記憶されており、プロセッサ上で運行できるコンピュータプログラムを含み、コンピュータプログラムがプロセッサによって実行される時、上述した二重接続切り替え方法のステップを実現させる。
【００１０】
第七の方面によれば、本開示のいくつかの実施例は、コンピュータ可読記憶媒体を提供する。コンピュータ可読記憶媒体にはコンピュータプログラムが記憶されており、コンピュータプログラムがプロセッサによって実行される時、上述した二重接続切り替え方法のステップを実現させる。
【００１１】
このように、本開示のいくつかの実施例の端末は、切り替えプロセスにおいて、まず、ＤＣ配置情報に基づき、ソースノード及びターゲットノードの二重接続を確立し、それからＳＣ配置情報に基づき、二重接続のうち、ソースノードの接続を切断することにより、ターゲットノードの一重接続に切り替える。そうすると、ＤＣ  ＨＯプロセスにおける接続配置をサポートすることができ、ＤＣ  ＨＯプロセスのノーマルな進行を確保することができる。それにより、端末の移動中の０ｍｓ端末時間遅延要求を満たす。
【００１２】
より明瞭に本開示のいくつかの実施例の技術案を説明するために、以下は、本開示のいくつかの実施例の記述に使用される必要のある添付図面を簡単に紹介する。自明なことに、以下の記述における添付図面は、本開示のいくつかの実施例に過ぎず、当業者にとって、創造的な労力を払わない前提で、それらの添付図面に基づいて、他の添付図面を取得することができる。
【図面の簡単な説明】
【００１３】
【図１】図１は、ＭＣＧベアラとＳＣＧベアラのネットワークアーキテクチャ概略図を示す。
【図２】図２は、スプリットベアラのネットワークアーキテクチャ概略図を示す。
【図３】図３は、複製ベアラのネットワークアーキテクチャ概略図を示す。
【図４】図４は、本開示のいくつかの実施例における端末側の二重接続切り替え方法のフローチャートを示す。
【図５ａ】図５ａは、本開示のいくつかの実施例における二重接続切り替え方法のフローチャートを示す。
【図５ｂ】図５ｂは、切り替えコマンドにおけるＤＣ配置情報とＳＣ配置情報の発効タイムチャートを示す。
【図６】図６は、本開示のいくつかの実施例における端末のモジュール構成概略図を示す。
【図７】図７は、本開示のいくつかの実施例における端末ブロック図を示す。
【図８】図８は、本開示のいくつかの実施例におけるネットワーク機器側の二重接続切り替え方法フローチャートを示す。
【図９】図９は、本開示のいくつかの実施例におけるネットワーク機器のモジュール構成概略図を示す。
【図１０】図１０は、本開示のいくつかの実施例におけるネットワーク機器ブロック図を示す。
【発明を実施するための形態】
【００１４】
以下は、添付図面を参照しつつ、本開示の例示的な実施例をより詳細に記述する。図面においては本開示の例示的な実施例が示されたが、理解すべきことは、各種の形式で本開示を実現することができ、ここで記述された実施例によって限制されるべきではない。逆に、それらの実施例を提供するのは、本開示をよりよく理解することができるとともに、本開示の範囲を完全に当業者に伝えることができるためである。
【００１５】
本出願の明細書と請求の範囲における用語である「第一の」、「第二の」などは、類似した対象を区別するためのものであり、必ずしも特定の順序または前後手順を記述するためのものではない。理解すべきことは、このように使用されるデータは、適切な場合にお互いに交換することができる。それにより、ここで記述された本出願の実施例が、例えばここで図示または記述されたもの以外の順序で実施されることができる。なお、「含む」と「有する」という用語及びそれらの任意の変形は、非排除性の「含む」を意図的にカバーするものであり、例えば、一連のステップまたはユニットを含むプロセス、方法、システム、製品または機器は、必ずしも明瞭にリストされているそれらのステップまたはユニットに限らず、明瞭にリストされていないまたはそれらのプロセス、方法、製品または機器に固有の他のステップまたはユニットを含んでもよい。明細書及び請求項における「及び／又は」は、接続された対象の少なくともそのうちの一つを表す。
【００１６】
０ｍｓの移動性プロセスの中断時間遅延を満たすために、端末が移動中に同時にソースノード及びターゲットノードに接続される必要がある。それにより、データの収発を確保する。したがって、二重接続（Ｄｕａｌ  Ｃｏｎｎｅｃｔｉｖｉｔｙ、ＤＣ）切り替え（Ｈａｎｄｏｖｅｒ、ＨＯ）が引き込まれた。ＤＣ  ＨＯプロセスにおいては、実質にはＤＣ接続を確立し、それからＤＣ接続を一重接続（Ｓｉｎｇｌｅ  Ｃｏｎｎｅｃｔｉｖｉｔｙ、ＳＣ）に変換することである。
【００１７】
ＤＣアーキテクチャは、マスターセルグループ（Ｍａｓｔｅｒ  Ｃｅｌｌ  Ｇｒｏｕｐ、ＭＣＧ）とセカンダリーセルグループ（Ｓｅｃｏｎｄａｒｙ  Ｃｅｌｌ  Ｇｒｏｕｐ、ＳＣＧ）を含む。そのうち、ＭＣＧは、ネットワーク機器側のマスターノード（Ｍａｓｔｅｒ  Ｎｏｄｅ、ＭＮ）に対応し、ＳＣＧは、ネットワーク機器側のセカンダリーノード（Ｓｅｃｏｎｄａｒｙ  Ｎｏｄｅ、ＳＮ）に対応する。ＭＣＧは、プライマリーセル（Ｐｒｉｍａｒｙ  Ｃｅｌｌ、ＰＣｅｌｌ）とセカンダリーセル（Ｓｅｃｏｎｄａｒｙ  Ｃｅｌｌ、ＳＣｅｌｌ）を含み、ＳＣＧは、プライマリー・セカンダリーセル（Ｐｒｉｍａｒｙ  Ｓｅｃｏｎｄａｒｙ  Ｃｅｌｌ、ＰＳＣｅｌｌ）とセカンダリーセルＳＣｅｌｌを含む。そのうち、プライマリーセルＰＣｅｌｌとプライマリー・セカンダリーセルＰＳＣｅｌｌは、総称してＳｐＣｅｌｌと呼ばれる。
【００１８】
さらに、ＤＣアーキテクチャは、パケットデータコンバージェンスプロトコル（Ｐａｃｋｅｔ  Ｄａｔａ  Ｃｏｎｖｅｒｇｅｎｃｅ  Ｐｒｏｔｏｃｏｌ、ＰＤＣＰ）の複製機能をサポートし、ＤＣアーキテクチャは、さらに異なるタイプのベアラタイプ（ｂｅａｒｅｒ  Ｔｙｐｅ）をサポートし、ＭＣＧベアラ（ＭＣＧ  ｂｅａｒｅｒ）、ＳＣＧベアラ（ＳＣＧ  ｂｅａｒｅｒ）、スプリットベアラ（Ｓｐｌｉｔ  ｂｅａｒｅｒ）および複製ベアラ（Ｄｕｐｌｉｃａｔｅ  ｂｅａｒｅｒ）を含む。そのうち、図１に示すように、ＭＣＧベアラには、ＰＤＣＰ、無線リンク制御（Ｒａｄｉｏ  Ｌｉｎｋ  Ｃｏｎｔｒｏｌ、ＲＬＣ）、メディアアクセス制御（Ｍｅｄｉｕｍ  Ａｃｃｅｓｓ  Ｃｏｎｔｒｏｌ、ＭＡＣ）エンティティが対応されている。ＳＣＧベアラには、ＰＤＣＰ、ＲＬＣ、ＭＡＣエンティティが対応されている。図２に示すように、スプリットベアラに対応するＰＤＣＰエンティティは、一つのセルグループに位置し、対応する二つのＲＬＣと二つのＭＡＣエンティティは、異なるセルグループに位置する。図３に示すように、複製ベアラに対応するＰＤＣＰエンティティ、二つのＲＬＣと二つのＭＡＣエンティティは、一つのセルグループに位置する。
【００１９】
本開示のいくつかの実施例は、端末側に用いられる二重接続切り替え方法を提供する。図４に示すように、この方法は、以下のステップを含む。
【００２０】
ステップ４１：ソースノードから送信された、ソースノード及びターゲットノードの二重接続ＤＣ配置情報、及びターゲットノードの一重接続ＳＣ配置情報が携帯されている切り替えコマンドを受信する。
【００２１】
そのうち、ソースノード（Ｓｏｕｒｃｅ）は、切り替えプロセスにおけるソース基地局、ＤＣにおけるソースＳＮ、ＤＣにおけるソースＭＮであってもよい。それに応じて、ソースノードがソース基地局である場合、ターゲットノード（Ｔａｒｇｅｔ）は、ターゲット基地局であってもよい。ソースノードがＤＣにおけるソースＳＮまたはＭＮである場合、ターゲットノードは、ＤＣにおけるターゲットＳＮであってもよい。そのうち、指摘すべきことは、ＨＯ切り替えフローは、ソースＳＮまたはソースＭＮによってトリガーされてもよい、即ち切り替えコマンドは、ソースＳＮによって送信されてもよく、ソースＭＮによって送信されてもよいが、シグナリングフローが同じである。そのうち、ターゲットノードの一重接続は、ターゲットセル（Ｔａｒｇｅｔ  Ｃｅｌｌ）の一重接続である。
【００２２】
そのうち、切り替えコマンドは、無線リソース制御（Ｒａｄｉｏ  Ｒｅｓｏｕｒｃｅ  Ｃｏｎｔｒｏｌ、ＲＲＣ）再配置メッセージに携帯されており、ＲＲＣ再配置メッセージは、第一の業務識別子（ｔｒａｎｓａｃｔｉｏｎ  ＩＤ）を有する。この第一の業務識別子は、ＲＲＣ再配置メッセージのＩＤである。
【００２３】
さらに、切り替えコマンドにおけるＤＣ配置情報及び／又はＳＣ配置情報は、第二の業務識別子を有し、第二の業務識別子は、第一の業務識別子と異なる。つまり、ＤＣ配置情報とＳＣ配置情報は、それぞれの第二の業務識別子を有してもよく、一つの第二の業務識別子を共用してもよい。この第二の業務識別子は、ＲＲＣ再配置メッセージの第一の業務識別子と異なる。
【００２４】
ステップ４２：ＤＣ配置情報をサポートする時、ＤＣ配置情報に基づき、ソースノード及びターゲットノードとの間の二重接続を確立する。
【００２５】
切り替えコマンドにはＤＣ配置情報が携帯されているため、端末は、切り替えコマンドを受信した後、このＤＣ配置情報を受けて応用することができる。このプロセスにおいて、ソースノードは、それからＤＣにおけるＭＮとして、ＤＣ配置情報に基づきターゲットノードをＳＮとして添加する。ＤＣ配置を完成した後、端末とターゲットノードとの間の接続を増加することにより、ソースノード及びターゲットノードとの間の二重接続が確立される。二重接続の保持中に、端末は、同時にソースノード及びターゲットノードとの間の接続においてデータを送受信して、データ伝送が途切れないように確保することができる。
【００２６】
ステップ４３：ＳＣ配置情報に基づき、二重接続のうち、ソースノードとの接続を切断し、ターゲットノードとの一重接続を保持する。
【００２７】
切り替えコマンドにはＳＣ配置情報も携帯されているため、端末は、二重接続を確立した後、ターゲットノードをＤＣにおけるＭＮの役割に変換し、二重接続のうち、ソースノードとの間の接続を切断し、ＳＣ配置情報を応用する、ターゲットノードとの間の一重接続のみを保持する。このように、まず、ＤＣ配置情報に基づき、ソースノード及びターゲットノードの二重接続を確立し、それからＳＣ配置情報に基づき、二重接続のうち、ソースノードの接続を切断し、ターゲットノードとの間の一重接続のみを保持することにより、ソースノードからターゲットノードに切り替えるプロセスを実現する。このプロセスにおいて、端末は、常にネットワーク側との接続を保持しているため、データ伝送が中断することがなく、０ｍｓ伝送時間遅延の要求に達することができる。
【００２８】
本開示のいくつかの実施例では、ステップ４１の後、ＤＣ配置情報をサポートしない時、ソースノードへ、ＤＣ配置情報を拒絶する拒絶メッセージを送信することにより、ソースノードが拒絶メッセージに基づき一重接続切り替えフローを実行するようになることをさらに含む。端末は、切り替えコマンドを受信した後、自分の端末の能力または他の原因によってＤＣ配置情報をサポートしない可能性がある。このとき、端末は、ソースノードへ、ＤＣ配置情報を拒絶する拒絶メッセージを送信する。ソースノードは、拒絶メッセージを受信すると、一重接続切り替えフロー、即ち伝統的な切り替えフローを実行することができる。一重接続切り替えプロセスにおいて、端末は、ソースノードとの接続を切断し、ターゲットノードとの間の接続を確立する。このプロセスにおいては短時間のデータ伝送時間遅延が存在する可能性がある。
【００２９】
ステップ４１の後、切り替えコマンドに基づき、ソースノードへ第一の確認情報を送信することをさらに含み、そのうち、確認情報は、
切り替えコマンドが受信されたかどうか、
ＤＣ配置情報が正当であるかどうか、
ＳＣ配置情報が正当であるかどうか、
二重接続が確立されたかどうか、及び
ＳＣ配置情報が応用されたかどうか、のうちの少なくとも一つを確認するために用いられる。
【００３０】
そのうち、第一の確認情報は、以上の情報のうちの一つのみを確認してもよい。例えば、端末は、切り替えコマンドを受信した場合、ソースノードへ肯定応答（ＡＣＫｎｏｗｌｅｄｇｅｍｅｎｔ、ＡＣＫ）をフィードバックし、切り替えコマンドを受信していない場合、ソースノードへ否定応答（Ｎｅｇａｔｉｖｅ−ＡＣＫｎｏｗｌｅｄｇｍｅｎｔ、ＮＡＣＫ）をフィードバックする。又は、端末は、ＤＣ配置情報／ＳＣ配置情報が正当であることを検出した場合、即ち端末の能力がこのＤＣ配置情報／ＳＣ配置情報における各種の配置パラメータをサポートする場合、端末は、ソースノードへＡＣＫをフィードバックし、ＤＣ配置／ＳＣ配置情報が正当でないことを検出した場合、即ち端末の能力がこのＤＣ配置情報／ＳＣ配置情報における少なくとも一つ配置パラメータをサポートしない場合、ソースノードへＮＡＣＫをフィードバックする。又は、端末は、ソースノード及びターゲットノードとの間の二重接続の確立に成功する場合、ソースノードへＡＣＫをフィードバックし、二重接続の確立に失敗する場合、ソースノードへＮＡＣＫをフィードバックする。又は、端末がＳＣ配置情報の応用に成功する場合、即ち端末がターゲットノードとの間の一重接続を確立することができる場合、端末は、ソースノードへＡＣＫをフィードバックする。ＳＣ配置情報の応用に成功できない場合、ソースノードへＮＡＣＫをフィードバックする。
【００３１】
そのうち、第一の確認情報は、以上の情報のうちの複数の任意の組み合わせを共同確認してもよく、例えば第一の確認情報は、切り替えコマンドが受信されたかどうかとＤＣ配置情報が正当であるかどうかを共同確認してもよい。以上の情報のうちの他の組み合わせも、第一の確認情報によって共同確認されてもよい。ここで１つずつリストしない。
【００３２】
指摘すべきことは、第一の確認情報によって確認できる情報が異なり、そのフィードバックタイミングが異なる。例えば、第一の確認情報が、切り替えコマンドが受信されたかどうかのみを確認する場合、第一の確認情報の送信タイミングは、ステップ４１の後となる。第一の確認情報が、切り替えコマンドが受信されたかどうかと二重接続が確立されたかどうかを共同確認するために用いられる場合、第一の確認情報の送信タイミングは、ステップ４２の後となる。
【００３３】
なお、上記第一の確認情報によって共同確認される方式以外、以上の情報のうちの複数の情報は、それぞれの確認情報によって確認されてもよい。例えば、ステップ４１の後、切り替えコマンドに基づき、ソースノードへ、切り替えコマンドが受信されたかどうかを確認するための第一の確認情報を送信することを含む。ステップ４２の後、ソースノード及び／又はターゲットノードへ、二重接続がすでに確立された第二の確認情報を送信することをさらに含む。第二の確認情報は、二重接続の確立に成功したかどうかを確認するために用いられる。
【００３４】
ステップ４３の後、ターゲットノードへ、ＳＣ配置情報がすでに応用されたこと、および、切り替えが完成したこと、のうちの少なくとも一つを指示するための切り替え完成メッセージを送信することをさらに含む。ターゲットノードは、切り替え完成メッセージを受信した時、ソースノードへ、ＳＣ配置情報が発効することを知らせ、元のＤＣ配置情報は、削除されてもよい。
【００３５】
以上は、本開示のいくつかの実施例の二重接続切り替え方法を簡単に紹介した。以下は、添付図面を結び付けながら、それをさらに説明する。
【００３６】
図５ａに示すように、この二重接続切り替え方法は、以下のステップを含む。
【００３７】
ステップ５１：端末は、ソースノードとの間の無線チャネルを無線測定し、ソースノードへ測定レポートを報告する。
【００３８】
ステップ５２：測定レポートが、チャネル品質が悪く、チャネル切り替えを行う必要があることを指示する場合、ソースノードが切り替え要求をターゲットノードに送信する。そのうち、この切り替え要求には、一重接続におけるソースノードの配置情報、及び二重接続におけるソースノードの配置情報が携帯されている。即ち、ソースノードは、自ノードの配置と自ノードがＤＣにおいて希望し得る配置をターゲットノードに知らせる。
【００３９】
ステップ５３：ソースノードは、ターゲットノードからフィードバックされた、ＤＣ配置情報及びＳＣ配置情報が携帯されている切り替え要求応答を受信する。ターゲットノードは、ソースノードから送信された切り替え要求（自ノードの配置と自ノードがＤＣにおいて希望し得る配置）に基づき、ＤＣ  ＨＯプロセス中に用いられるＤＣ配置情報及びターゲットセルへアクセスされた後のＳＣ配置情報の二つの部分の配置情報を生成する。
【００４０】
ステップ５４：ソースノードは、切り替えコマンドが携帯されているＲＲＣ再配置メッセージを端末に送信する。
【００４１】
ステップ５４の後、端末は、ソースノードへ第一の確認情報を送信してもよい。それは、端末による切り替えコマンドの受信に成功したかどうか、ＤＣ配置情報が正当であるかどうか、ＳＣ配置情報が正当であるかどうか、二重接続の確立に成功したかどうか、ＳＣ配置情報が応用されたかどうかなどのうちの一つまたは複数を確認するために用いられる。
【００４２】
ステップ５４及びその前、端末は、常にソースノードとの間の接続を保持する。このとき、端末とソースノードとの間では、データ伝送を行うことができる。
【００４３】
ステップ５５：端末は、ＤＣ配置情報を応用することにより、ソースノード及びターゲットノードとの間の二重接続を確立する。このとき、端末とソースノードとの間に接続を保持するため、端末とソースノードとの間では、データ伝送を行うことができる。端末とターゲットノードとの間にも接続を保持するため、端末とターゲットノードとの間でもデータ伝送を行うことができる。
【００４４】
ステップ５６：端末は、ＳＣ配置情報を応用することにより、ソースノードとの間の接続を切断し、ターゲットノードとの間の接続のみを保持する。
【００４５】
選択的に、端末は、ソースノードへ、接続を切断する指示情報を送信し、ソースノードは、ターゲットノードへ、接続を切断する指示情報を送信してもよい。
【００４６】
または、端末は、ターゲットノードへ、ソースノード接続を切断する指示情報を送信し、ターゲットノードは、ソースノードへ、接続を切断する指示情報を送信してもよい。
【００４７】
説明すべきことは、ステップ５４の後、即ち端末によってＲＲＣ再配置メッセージが受信された後、端末は、即時にＤＣ配置情報を応用し、ＳＣ配置情報を記憶してもよい。例えば、ターゲットノードのＳＣ配置情報は、コンテナ（ｃｏｎｔａｉｎｅｒ）の形式で、メッセージにパッケージ化してもよい（または可視情報エレメントの方式で、情報エレメントは、主には、ＳＣの物理層、層二、層三の配置などを含む）。端末とソースノード及びターゲットノードとの二重接続の確立が完成した後、ＳＣ配置情報を応用し、ソースノードとの間の接続を切断し、ターゲットノードとの間の接続のみを保持する。図５ｂに示すように、端末は、ｔ１時刻においてＲＲＣ再配置メッセージの受信と復調に成功したら、即時にＤＣ配置情報を応用して二重接続を確立し、ＳＣ配置情報を記憶する。二重接続の確立が完成した後のｔ２時刻においてＳＣ配置を応用して、ソースノードとの接続を切断し、ターゲットノードへ切り替えるプロセスを完成する。
【００４８】
ステップ５７：端末は、ターゲットノードへ切り替え完成メッセージを送信する。
【００４９】
本開示のいくつかの実施例の二重接続切り替え方法では、端末は、切り替えプロセスにおいて、まずＤＣ配置情報に基づき、ソースノード及びターゲットノードの二重接続を確立し、それからＳＣ配置情報に基づき、二重接続のうち、ソースノードの接続を切断することにより、ターゲットノードの一重接続に切り替える。そうすると、ＤＣ  ＨＯプロセスにおける接続配置をサポートすることができ、ＤＣ  ＨＯプロセスのノーマルな進行を確保することができる。それにより、端末の移動中の０ｍｓ端末時間遅延要求を満たす。
【００５０】
以上の実施例は、異なるシーンにおける二重接続切り替え方法を紹介した。以下は、添付図面を結び付けながら、それに対応する端末を更に紹介する。
【００５１】
図６に示すように、本開示のいくつかの実施例の端末６００は、上記実施例において、ソースノードから送信された、ソースノード及びターゲットノードの二重接続ＤＣ配置情報、及びターゲットノードの一重接続ＳＣ配置情報が携帯されている切り替えコマンドを受信し、ＤＣ配置情報をサポートする時、ＤＣ配置情報に基づき、ソースノード及びターゲットノードとの間の二重接続を確立し、ＳＣ配置情報に基づき、二重接続のうち、ソースノードとの接続を切断し、ターゲットノードとの一重接続を保持するという方法の詳細を実現することができ、且つ同じ効果を達することができる。この端末６００は、具体的には、
ソースノードから送信された、ソースノード及びターゲットノードの二重接続ＤＣ配置情報、及びターゲットノードの一重接続ＳＣ配置情報が携帯されている切り替えコマンドを受信するための第一の受信モジュール６１０、
ＤＣ配置情報に基づき、ソースノード及びターゲットノードとの間の二重接続を確立するための第一の確立モジュール６２０、および
ＳＣ配置情報に基づき、二重接続のうち、ソースノードとの接続を切断し、ターゲットノードとの一重接続を保持するための切り替えモジュール６３０を含む。
【００５２】
そのうち、端末６００は、
ＤＣ配置情報をサポートしない時、ソースノードへ、ＤＣ配置情報を拒絶する拒絶メッセージを送信することにより、ソースノードが拒絶メッセージに基づき一重接続切り替えフローを実行するようになるための第一の送信モジュールをさらに含む。
【００５３】
そのうち、端末６００は
切り替えコマンドに基づき、ソースノードへ第一の確認情報を送信するための第二の送信モジュールをさらに含み、そのうち、第一の確認情報は、
切り替えコマンドが受信されたかどうか、
ＤＣ配置情報が正当であるかどうか、
ＳＣ配置情報が正当であるかどうか、
二重接続が確立されたかどうか、及び
ＳＣ配置情報が応用されたかどうか、のうちの少なくとも一つを確認するために用いられる。
【００５４】
そのうち、端末はさらに、
ソースノード及び／又はターゲットノードへ二重接続がすでに確立された第二の確認情報を送信するための第三の送信モジュールを含む。
【００５５】
そのうち、端末６００は、
ターゲットノードへ切り替え完成メッセージを送信するための第四の送信モジュールをさらに含み、そのうち、切り替え完成メッセージは、
ＳＣ配置情報がすでに応用されたこと、および
切り替えが完成したこと、のうちの少なくとも一つを指示するために用いられる。
【００５６】
そのうち、切り替えコマンドは、無線リソース制御ＲＲＣ再配置メッセージに携帯されており、ＲＲＣ再配置メッセージは、第一の業務識別子を有する。
【００５７】
そのうち、ＤＣ配置情報及び／又はＳＣ配置情報は、第二の業務識別子を有し、第二の業務識別子は、第一の業務識別子と異なる。
【００５８】
指摘すべきことは、本開示のいくつかの実施例の端末は、切り替えプロセスにおいて、まずＤＣ配置情報に基づき、ソースノード及びターゲットノードの二重接続を確立し、それからＳＣ配置情報に基づき、二重接続のうち、ソースノードの接続を切断することにより、ターゲットノードの一重接続に切り替える。そうすると、ＤＣ  ＨＯプロセスにおける接続配置をサポートすることができ、ＤＣ  ＨＯプロセスのノーマルな進行を確保することができる。それにより、端末の移動中の０ｍｓ端末時間遅延要求を満たす。
【００５９】
上記目的をよりよく実現するために、さらに、図７は、本開示の各実施例の一つの端末を実現するハードウェア構成概略図である。この端末７０は、無線周波数ユニット７１、ネットワークモジュール７２、オーディオ出力ユニット７３、入力ユニット７４、センサ７５、表示ユニット７６、ユーザ入力ユニット７７、インターフェースユニット７８、メモリ７９、プロセッサ７１０、及び電源７１１などの部材を含むが、それらに限らない。当業者であれば理解できるように、図７に示す端末構成は、端末に対する限定を構成しなく、端末には、図示された部材の数よりも多くまたは少ない部材、または何らかの部材の組み合わせ、または異なる部材の配置が含まれてもよい。本開示のいくつかの実施例では、端末は、携帯電話、タブレットコンピュータ、ノートパソコン、パームトップコンピュータ、車載端末、ウェアラブルデバイス、及び歩数計などを含むが、それらに限らない。
【００６０】
そのうち、無線周波数ユニット７１は、ソースノードから送信された、ソースノード及びターゲットノードの二重接続ＤＣ配置情報、及びターゲットノードの一重接続ＳＣ配置情報が携帯されている切り替えコマンドを受信するために用いられる。
【００６１】
プロセッサ７１０は、ＤＣ配置情報をサポートする時、ＤＣ配置情報に基づき、ソースノード及びターゲットノードとの間の二重接続を確立するために用いられる。
【００６２】
ＳＣ配置情報に基づき、二重接続のうち、ソースノードとの接続を切断し、ターゲットノードとの一重接続を保持するために用いられる。
【００６３】
本開示のいくつかの実施例の端末は、切り替えプロセスにおいて、まずＤＣ配置情報に基づき、ソースノード及びターゲットノードの二重接続を確立し、それからＳＣ配置情報に基づき、二重接続のうち、ソースノードの接続を切断することにより、ターゲットノードの一重接続に切り替える。そうすると、ＤＣ  ＨＯプロセスにおける接続配置をサポートすることができ、ＤＣ  ＨＯプロセスのノーマルな進行を確保することができる。それにより、端末の移動中の０ｍｓ端末時間遅延要求を満たす。
【００６４】
理解すべきことは、本開示のいくつかの実施例では、無線周波数ユニット７１は、情報の送受信または通話中の信号の送受信に用いられてもよい。具体的には、基地局からの下りリンクデータを受信してから、プロセッサ７１０に処理させてもよい。また、上りリンクデータを基地局に送信してもよい。一般的には、無線周波数ユニット７１は、アンテナ、少なくとも一つの増幅器、送受信機、カプラ、低雑音増幅器、デュプレクサなどを含むが、それらに限らない。なお、無線周波数ユニット７１は、無線通信システムやネットワークによって、他の機器との通信を行ってもよい。
【００６５】
端末は、ネットワークモジュール７２によって、ユーザに無線のブロードバンドインターネットアクセスを提供する。例えば、ユーザへ電子メールの送受信、ウェブページの閲覧、ストリーミングメディアへのアクセスなどを支援する。
【００６６】
オーディオ出力ユニット７３は、無線周波数ユニット７１またはネットワークモジュール７２によって受信されたまたはメモリ７９に記憶されたオーディオデータをオーディオ信号に変換して、音声として出力することができる。そして、オーディオ出力ユニット７３はさらに、端末７０によって実行された特定の機能に関連するオーディオ出力（例えば、呼び信号受信音、メッセージ着信音など）を提供することができる。オーディオ出力ユニット７３は、スピーカ、ブザー及び受話器などを含む。
【００６７】
入力ユニット７４は、オーディオまたはビデオ信号を受信するために用いられる。入力ユニット７４は、グラフィックスプロセッサ（Ｇｒａｐｈｉｃｓ  Ｐｒｏｃｅｓｓｉｎｇ  Ｕｎｉｔ、ＧＰＵ）７４１とマイクロホン７４２を含んでもよい。グラフィックスプロセッサ７４１は、ビデオキャプチャモードまたは画像キャプチャモードにおいて画像キャプチャ装置（例えば、カメラ）によって得られた静止画像またはビデオの画像データを処理する。処理された画像フレームは、表示ユニット７６に表示されてもよい。グラフィックスプロセッサ７４１によって処理された画像フレームは、メモリ７９（または他の記憶媒体）に記憶されてもよく、または無線周波数ユニット７１またはネットワークモジュール７２を介して送信されてもよい。マイクロホン７４２は、音声を受信することができるとともに、このような音声をオーディオデータとして処理することができる。処理されたオーディオデータは、電話の通話モードにおいて、無線周波数ユニット７１を介して移動通信基地局に送信することが可能なフォーマットに変換して出力してもよい。
【００６８】
端末７０はさらに、少なくとも一つのセンサ７５、例えば、光センサ、運動センサ及び他のセンサを含む。具体的には、光センサは、環境光センサ及び接近センサを含む。そのうち、環境光センサは、環境光の明暗に応じて、表示パネル７６１の輝度を調整してもよい。接近センサは、端末７０が耳元に移動した時、表示パネル７６１及び／又はバックライトをオフにしてもよい。運動センサの一種として、加速度計センサは、各方向（一般的には、三軸であり）における加速度の大きさを検出することができ、静止時、重力の大きさ及び方向を検出することができ、端末の姿勢（例えば、縦横スクリーン切り替え、関連ゲーム、磁力計姿勢校正）識別、振動識別関連機能（例えば、歩数計、タップ）などに用いられてもよい。センサ７５はさらに、指紋センサ、圧力センサ、虹彩センサ、分子センサ、ジャイロ、気圧計、湿度計、温度計、赤外線センサなどを含んでもよく、ここでは説明を省略する。
【００６９】
表示ユニット７６は、ユーザによって入力された情報またはユーザに提供される情報を表示するために用いられている。表示ユニット７６は、表示パネル７６１を含んでもよく、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ，  ＯＬＥＤ）などの形式で表示パネル７６１が配置されてもよい。
【００７０】
ユーザ入力ユニット７７は、入力された数字または文字情報を受信し、端末のユーザによる設置及び機能制御に関するキー信号入力を発生するために用いられてもよい。具体的には、ユーザ入力ユニット７７は、タッチパネル７７１及び他の入力機器７７２を含む。タッチパネル７７１は、タッチスクリーンとも呼ばれ、その上または付近でのユーザによるタッチ操作（例えば、ユーザが指、タッチペンなどの任意の適切な物体または付属品を使用してタッチパネル７７１上またはタッチパネル７７１付近で行う操作）を収集することができる。タッチパネル７７１は、タッチ検出装置とタッチコントローラの二つの部分を含んでもよい。そのうち、タッチ検出装置は、ユーザによるタッチ方位を検出し、タッチ操作による信号を検出し、信号をタッチコントローラに伝送する。タッチコントローラは、タッチ検出装置からタッチ情報を受信し、それをタッチポイント座標に変換してから、プロセッサ７１０に送信して、プロセッサ７１０から送信してきたコマンドを受信し実行する。なお、抵抗式、静電容量式、赤外線及び表面音波などの様々なタイプを用いてタッチパネル７７１を実現することができる。タッチパネル７７１以外、ユーザ入力ユニット７７はさらに、他の入力機器７７２を含んでもよい。具体的には、他の入力機器７７２は、物理的キーボード、機能キー（例えば、音量制御ボタン、スイッチボタンなど）、トラックボール、マウス、操作レバーを含んでもよいが、それらに限らない。ここでは説明を省略する。
【００７１】
さらに、タッチパネル７７１は、表示パネル７６１上に覆われてもよい。タッチパネル７７１は、その上または付近でのタッチ操作を検出した場合、プロセッサ７１０に伝送して、タッチイベントのタイプを特定し、その後、プロセッサ７１０は、タッチイベントのタイプに応じて表示パネル７６１で相応な視覚的な出力を提供する。図７では、タッチパネル７７１と表示パネル７６１は、二つの独立した部材として端末の入力と出力機能を実現するものであるが、何らかの実施例では、タッチパネル７７１と表示パネル７６１とを集積して端末の入力と出力機能を実現してもよい。具体的には、ここでは限定しない。
【００７２】
インターフェースユニット７８は、外部装置と端末７０との接続のためのインターフェースである。例えば、外部装置は、有線または無線ヘッドフォンポート、外部電源（または電池充電器）ポート、有線または無線データポート、メモリカードポート、識別モジュールを有する装置への接続用のポート、オーディオ入力／出力（Ｉ／Ｏ）ポート、ビデオＩ／Ｏポート、イヤホンポートなどを含んでもよい。インターフェースユニット７８は、外部装置からの入力（例えば、データ情報、電力など）を受信するとともに、受信された入力を端末７０内の一つまたは複数の素子に伝送するために用いられてもよく、または端末７０と外部装置との間でデータを伝送するために用いられてもよい。
【００７３】
メモリ７９は、ソフトウェアプログラム及び各種のデータを記憶するために用いられてもよい。メモリ７９は、主にプログラム記憶エリアとデータ記憶エリアを含んでもよく、そのうち、プログラム記憶エリアは、オペレーティングシステム、少なくとも一つの機能に必要なアプリケーションプログラム（例えば、音声放送機能、画像放送機能など）などを記憶することができ、データ記憶エリアは、携帯電話の使用によって作成されたデータ（例えば、オーディオデータ、電話帳など）などを記憶することができる。なお、メモリ７９は、高速ランダムアクセスメモリを含んでもよく、非揮発性メモリ、例えば少なくとも一つの磁気ディスクメモリデバイス、フラッシュメモリデバイス、または他の揮発性ソリッドステートメモリデバイスを含んでもよい。
【００７４】
プロセッサ７１０は、端末の制御センターであり、各種のインターフェースと線路によって端末全体の各部分に接続され、メモリ７９に記憶されたソフトウェアプログラム及び／又はモジュールを運行または実行し、及びメモリ７９に記憶されたデータを呼び出し、端末の各種の機能を実行し、データを処理することで、端末全体をモニタリングする。プロセッサ７１０は、一つまたは複数の処理ユニットを含んでもよい。選択的に、プロセッサ７１０は、プロセッサとモデムプロセッサを集積して用いてもよい。そのうち、アプリケーションプロセッサは、主にオペレーティングシステム、ユーザインターフェース及びアプリケーションプログラムなどを処理するためのものであり、モデムプロセッサは、主に無線通信を処理するためのものである。理解すべきことは、上記モデムプロセッサは、プロセッサ７１０に集積されなくてもよい。
【００７５】
端末７０はさらに、各部材に電力を供給する電源７１１（例えば、電池）を含んでもよい。選択的に、電源７１１は、電源管理システムによってプロセッサ７１０にロジック的に接続されてもよい。それにより、電源管理システムによって充放電管理及び消費電力管理などの機能を実現することができる。
【００７６】
また、端末７０は、いくつかの示されていない機能モジュールを含む。ここでは説明を省略する。
【００７７】
選択的に、本開示のいくつかの実施例はさらに、端末を提供する。プロセッサ７１０、メモリ７９、メモリ７９に記憶され、前記プロセッサ７１０上で運行できるコンピュータプログラムを含み、このコンピュータプログラムがプロセッサ７１０によって実行される時、上記二重接続切り替え方法の実施例の各プロセスを実現し、且つ同じ技術的効果を実現することができる。説明の重複を回避するために、ここで説明を省略する。そのうち、端末は、無線端末であってもよいし、有線端末であってもよい。無線端末は、ユーザへ語音及び／又は他の業務データ連通性を提供する機器、無線接続機能を有するハンドヘルド型機器、または無線モデムに接続された他の処理機器であってもよい。無線端末は、ワイヤレス・アクセス・ネットワーク（Ｒａｄｉｏ  Ａｃｃｅｓｓ  Ｎｅｔｗｏｒｋ、ＲＡＮ）を介して一つまたは複数のコアネットワークと通信してもよい。無線端末は、例えば移動電話（または、「セルラー」電話と呼ばれる）のような移動端末や移動端末を有するコンピュータであってもよい。例えば、可搬型、ポケット型、ハンドヘルド型、コンピュータ内蔵型または車載型の移動装置であってもよく、それらは、ワイヤレス・アクセス・ネットワークと語音及び／又はデータを交換する。例えば、パーソナルコミュニケーションサービス（Ｐｅｒｓｏｎａｌ  Ｃｏｍｍｕｎｉｃａｔｉｏｎ  Ｓｅｒｖｉｃｅ、ＰＣＳ）電話、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話機、無線ローカルループ（Ｗｉｒｅｌｅｓｓ  Ｌｏｃａｌ  Ｌｏｏｐ、ＷＬＬ）局、パーソナル・デジタル・アシスタント（Ｐｅｒｓｏｎａｌ  Ｄｉｇｉｔａｌ  Ａｓｓｉｓｔａｎｔ、ＰＤＡ）などの機器である。無線端末は、システム、加入者ユニット（Ｓｕｂｓｃｒｉｂｅｒ  Ｕｎｉｔ）、加入者局（Ｓｕｂｓｃｒｉｂｅｒ  Ｓｔａｔｉｏｎ）、移動局（Ｍｏｂｉｌｅ  Ｓｔａｔｉｏｎ）、移動テーブル（Ｍｏｂｉｌｅ）、リモート局（Ｒｅｍｏｔｅ  Ｓｔａｔｉｏｎ）、リモート端末（Ｒｅｍｏｔｅ  Ｔｅｒｍｉｎａｌ）、アクセス端末（Ａｃｃｅｓｓ  Ｔｅｒｍｉｎａｌ）、ユーザ端末（Ｕｓｅｒ  Ｔｅｒｍｉｎａｌ）、ユーザエージェント（Ｕｓｅｒ  Ａｇｅｎｔ）、ユーザデバイス（Ｕｓｅｒ  Ｄｅｖｉｃｅ  ｏｒ  Ｕｓｅｒ  Ｅｑｕｉｐｍｅｎｔ）と呼ばれてもよく、ここで限定しない。
【００７８】
本開示のいくつかの実施例はさらに、コンピュータ可読記憶媒体を提供する。コンピュータ可読記憶媒体にはコンピュータプログラムが記憶されており、このコンピュータプログラムがプロセッサによって実行される時、上記二重接続切り替え方法の実施例の各プロセスを実現し、且つ同じ技術的効果を実現することができる。説明の重複を回避するために、ここで説明を省略する。そのうち、上述したコンピュータ可読記憶媒体は、例えば、リードオンリーメモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスクまたは光ディスクなどである。
【００７９】
以上の実施例は、端末側から本開示の二重接続切り替え方法を紹介した。以下、本実施例では、添付図面を結び付けながら、ネットワーク機器側の二重接続切り替え方法をさらに紹介する。
【００８０】
図８に示すように、本開示のいくつかの実施例の二重接続切り替え方法は、ネットワーク機器側に用いられ、このネットワーク機器は、ソースノードであり、この方法は、以下のステップを含む。
【００８１】
ステップ８１：ソースノード及びターゲットノードの二重接続ＤＣ配置情報、及びターゲットノードの一重接続ＳＣ配置情報が携帯されている切り替えコマンドを端末に送信する。
【００８２】
そのうち、ソースノードがソース基地局である場合、ターゲットノードは、ターゲット基地局であってもよい。ソースノードがＤＣにおけるソースＳＮまたはＭＮである場合、ターゲットノードは、ＤＣにおけるターゲットＳＮであってもよい。そのうち、切り替えコマンドは、無線リソース制御ＲＲＣ再配置メッセージに携帯されており、ＲＲＣ再配置メッセージは、第一の業務識別子（ｔｒａｎｓａｃｔｉｏｎ  ＩＤ）を有する。この第一の業務識別子は、ＲＲＣ再配置メッセージのＩＤである。さらに、切り替えコマンドにおけるＤＣ配置情報及び／又はＳＣ配置情報は、第二の業務識別子を有し、第二の業務識別子は、第一の業務識別子と異なる。つまり、ＤＣ配置情報とＳＣ配置情報は、それぞれの第二の業務識別子を有してもよく、一つの第二の業務識別子を共用してもよい。この第二の業務識別子は、ＲＲＣ再配置メッセージの第一の業務識別子と異なる。
【００８３】
ステップ８１の前、切り替え要求をターゲットノードに送信し、ターゲットノードからフィードバックされた切り替え要求応答を受信することをさらに含む。そのうち、切り替え要求には、一重接続におけるソースノードの配置情報、及び二重接続におけるソースノードの配置情報が携帯されている。切り替え要求応答には、ＤＣ配置情報、及びＳＣ配置情報が携帯されている。ターゲットノードは、ソースノードから送信された切り替え要求（自ノードの配置と自ノードがＤＣにおいて希望し得る配置）に基づき、ＤＣ  ＨＯプロセス中に用いられるＤＣ配置情報、及びターゲットセルへアクセスされた後のＳＣ配置情報の二つの部分の配置情報を生成する。
【００８４】
ステップ８１の後、端末から送信された拒絶メッセージを受信し、拒絶メッセージに基づき、一重接続切り替えフローを実行することをさらに含む。そのうち、拒絶メッセージは、端末へＤＣ配置情報の拒絶を指示するために用いられる。端末は、切り替えコマンドを受信した後、自分の端末の能力または他の原因によってＤＣ配置情報をサポートしない可能性がある。このとき、端末は、ソースノードへ、ＤＣ配置情報を拒絶する拒絶メッセージを送信する。ソースノードが拒絶メッセージを受信した後、一重接続切り替えフロー、即ち伝統的な切り替えフローを実行することができる。
【００８５】
ステップ８１の後、端末から送信された第一の確認情報を受信することをさらに含み、  そのうち、第一の確認情報は、
切り替えコマンドが受信されたかどうか、
ＤＣ配置情報が正当であるかどうか、
ＳＣ配置情報が正当であるかどうか、
二重接続が確立されたかどうか、及び
ＳＣ配置情報が応用されたかどうか、のうちの少なくとも一つを確認するために用いられる。
【００８６】
そのうち、第一の確認情報は、以上の情報のうちの一つのみ確認してもよく、第一の確認情報は、以上の情報のうちの複数の任意の組み合わせを共同確認してもよい。指摘すべきことは、第一の確認情報によって確認できる情報が異なり、そのフィードバックタイミングが異なる。例えば、第一の確認情報が、切り替えコマンドが受信されたかどうかのみ確認する場合、第一の確認情報の送信タイミングは、ステップ８１の後となる。第一の確認情報が、切り替えコマンドが受信されたかどうかと二重接続が確立されたかどうかを共同確認するために用いられる場合、第一の確認情報の送信タイミングは、端末によってソースノード及びターゲットノードとの間の二重接続が確立された後となる。
【００８７】
端末から送信された第一の確認情報を受信するステップの後、ターゲットノードへ第一の切り替え確認メッセージ（ｃｏｎｆｉｒｍａｔｉｏｎ  ｆｏｒｗａｒｄｅｄ）を送信し、ターゲットノードによって第一の切り替え確認メッセージに基づきフィードバックされた第二の切り替え確認メッセージを受信することをさらに含む。
【００８８】
上述した、第一の確認情報によって共同確認される方式以外、以上の情報のうちの複数は、それぞれの確認情報によって確認されてもよい。ステップ８１の後、端末から送信された、切り替えコマンドが受信されたことを指示するための第一の確認情報を受信し、端末がソースノード及びターゲットノードとの間の二重接続を確立した後、端末またはターゲットノードから送信された、二重接続がすでに確立されたことを指示するための第二の確認情報を受信することをさらに含む。
【００８９】
本開示のいくつかの実施例の二重接続切り替え方法では、ソースノードは、ＤＣ配置情報とＳＣ配置情報が携帯されている切り替えコマンドを端末に送信することにより、端末は、切り替えプロセスにおいて、まずＤＣ配置情報に基づき、ソースノード及びターゲットノードの二重接続を確立し、それからＳＣ配置情報に基づき、二重接続のうち、ソースノードの接続を切断することにより、ターゲットノードの一重接続に切り替える。そうすると、ＤＣ  ＨＯプロセスにおける接続配置をサポートすることができ、ＤＣ  ＨＯプロセスのノーマルな進行を確保することができる。それにより、端末の移動中の０ｍｓ端末時間遅延要求を満たす。
【００９０】
以上の実施例は、それぞれ、異なるシーンにおける二重接続切り替え方法を詳細に紹介した。以下は、本実施例は、添付図面を結び付けながら、それに対応するネットワーク機器をさらに紹介する。
【００９１】
図９に示すように、本開示のいくつかの実施例のネットワーク機器９００は、上記実施例において、ソースノード及びターゲットノードの二重接続ＤＣ配置情報、及びターゲットノードの一重接続ＳＣ配置情報が携帯されている切り替えコマンドを端末に送信するという方法の詳細を実現することができ、同じ効果に達することができる。このネットワーク機器９００は具体的に、
ソースノード及びターゲットノードの二重接続ＤＣ配置情報、及びターゲットノードの一重接続ＳＣ配置情報が携帯されている切り替えコマンドを端末に送信するための第五の送信モジュール９１０を含む。
【００９２】
そのうち、ネットワーク機器９００はさらに、
一重接続におけるソースノードの配置情報、及び二重接続におけるソースノードの配置情報が携帯されている切り替え要求をターゲットノードに送信するための第六の送信モジュール、および
ターゲットノードからフィードバックされた、ＤＣ配置情報及びＳＣ配置情報が携帯されている切り替え要求応答を受信するための第二の受信モジュールを含む。
【００９３】
そのうち、ネットワーク機器９００はさらに、
端末から送信された、ＤＣ配置情報の拒絶を端末へ指示するための拒絶メッセージを受信するための第三の受信モジュール、および
拒絶メッセージに基づき、一重接続切り替えフローを実行するための処理モジュールを含む。
【００９４】
そのうち、ネットワーク機器９００はさらに、
端末から送信された第一の確認情報を受信するための第四の受信モジュールを含み、そのうち、第一の確認情報は、
切り替えコマンドが受信されたかどうか、
ＤＣ配置情報が正当であるかどうか、
ＳＣ配置情報が正当であるかどうか、
二重接続が確立されたかどうか、及び
ＳＣ配置情報が応用されたかどうか、のうちの少なくとも一つを確認するために用いられる。
【００９５】
そのうち、ネットワーク機器９００はさらに、
ターゲットノードへ第一の切り替え確認メッセージを送信するための第七の送信モジュール、および
ターゲットノードによって第一の切り替え確認メッセージに基づきフィードバックされた第二の切り替え確認メッセージを受信するための第五の受信モジュールを含む。
【００９６】
そのうち、ネットワーク機器９００はさらに、
端末またはターゲットノードから送信された、二重接続がすでに確立されたことを指示するための第二の確認情報を受信するための第六の受信モジュールを含む。
【００９７】
指摘すべきことは、本開示のいくつかの実施例のソースノードは、ＤＣ配置情報とＳＣ配置情報が携帯されている切り替えコマンドを端末に送信することにより、端末は、切り替えプロセスにおいて、まずＤＣ配置情報に基づき、ソースノード及びターゲットノードの二重接続を確立し、それからＳＣ配置情報に基づき、二重接続のうち、ソースノードの接続を切断することにより、ターゲットノードの一重接続に切り替える。そうすると、ＤＣ  ＨＯプロセスにおける接続配置をサポートすることができ、ＤＣ  ＨＯプロセスのノーマルな進行を確保することができる。それにより、端末の移動中の０ｍｓ端末時間遅延要求を満たす。
【００９８】
説明すべきことは、以上のネットワーク機器及び端末の各モジュールの区分は、ロジック機能の区分に過ぎず、実際の実現時、全部または部分的に物理的なエンティティに集積されてもよく、または物理的に分離されてもよいことを理解すべきである。これらのモジュールは、すべて処理素子によってソフトウェアが呼び出される形式で実現されてもよく、またはすべてハードウェアの形式で実現されてもよく、さらに、一部のモジュールは、処理素子によってソフトウェアが呼び出される形式で実現され、一部のモジュールは、ハードウェアの形式で実現されてもよい。例えば、特定モジュールは、個別に設けられた処理素子であってもよく、または、上記装置のあるチップに集積されて実現されてもよい。なお、プログラムコードの形式で上記装置のメモリに記憶され、上記装置のある処理素子によって呼び出され、以上の特定モジュールの機能が実行されてもよい。他のモジュールの実現はこれと類似している。なお、これらのモジュールは、全部または部分的に一体に集積されてもよく、個別に実現されてもよい。ここで記載された処理素子は、信号の処理能力を有する集積回路であってもよい。実現プロセスにおいて、上記方法の各ステップまたは以上の各モジュールは、処理素子におけるハードウェアの集成論理回路またはソフトウェアの形式の指令によって完成されてもよい。
【００９９】
例えば、以上のこれらのモジュールは、１つまたは複数の特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、１つまたは複数のマイクロプロセッサ（ｄｉｇｉｔａｌ  ｓｉｇｎａｌ  ｐｒｏｃｅｓｓｏｒ、ＤＳＰ）、１つまたは複数のフィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）などの、以上の方法を実施する１つまたは複数の集積回路として配置されてもよい。また、例えば、以上のあるモジュールが、処理素子によってプログラムコードが呼び出される形式で実現される場合に、この処理素子は、汎用プロセッサ、例えば中央処理装置（Ｃｅｎｔｒａｌ  Ｐｒｏｃｅｓｓｉｎｇ  Ｕｎｉｔ、ＣＰＵ）またはプログラムコードを呼び出すことが可能な他のプロセッサであってもよい。また、例えば、これらのモジュールは、一体に集積されて、システムオンチップ（ｓｙｓｔｅｍ−ｏｎ−ａ−ｃｈｉｐ、ＳＯＣ）の形式で実現されてもよい。
【０１００】
上記目的をよりよく実現するために、本開示の実施例は、ネットワーク機器をさらに提供する。プロセッサ、メモリ、及びメモリに記憶され、プロセッサ上で運行できるコンピュータプログラムを含み、コンピュータプログラムがプロセッサによって実行されるとき、上記二重接続スイッチング方法におけるステップを実現する。発明の実施例は、コンピュータ可読記憶媒体をさらに提供する。このコンピュータ可読記憶媒体にはコンピュータプログラムが記憶されており、コンピュータプログラムがプロセッサによって実行されるとき、上記二重接続スイッチング方法のステップを実現する。
【０１０１】
具体的には、本開示の実施例は、ネットワーク機器をさらに提供する。図１０に示すように、このネットワーク機器１０００は、アンテナ１０１、無線周波数装置１０２、及びベースバンド装置１０３を備える。アンテナ１０１は無線周波数装置１０２に接続されている。上りリンク方向において、無線周波数装置１０２はアンテナ１０１を介して情報を受信し、受信された情報をベースバンド装置１０３に送信して、処理させる。下がりリンク方向において、ベースバンド装置１０３は、送信しようとする情報を処理し、無線周波数装置１０２に送信する。無線周波数装置１０２は、受信された情報を処理した後、アンテナ１０１を介して送信する。
【０１０２】
上記周波数帯域処理装置は、ベースバンド装置１０３に位置してもよく、以上の実施例では、ネットワーク機器が実行する方法は、プロセッサ１０４及びメモリ１０５を備えるベースバンド装置１０３において実現することができる。
【０１０３】
ベースバンド装置１０３は、例えば、複数のチップが設けられた少なくとも１つのベースバンドボードを備えてもよく、図１０に示すように、そのうちの一つのチップは、例えば、プロセッサ１０４であり、メモリ１０５に接続される。それによって、メモリ１０５におけるプログラムを呼び出し、以上の方法実施例に示されるネットワーク機器の操作を実行する。
【０１０４】
このベースバンド装置１０３は、無線周波数装置１０２と情報を交換するためのネットワークインタフェース１０６をさらに備えてもよい。このインタフェースは、例えば、共通公衆無線インタフェース（ｃｏｍｍｏｎ  ｐｕｂｌｉｃ  ｒａｄｉｏ  ｉｎｔｅｒｆａｃｅ、ＣＰＲＩ）である。
【０１０５】
ここでのプロセッサは、１つのプロセッサであってもよく、複数の処理素子の総称であってもよい。例えば、このプロセッサは、ＣＰＵであってもよいし、ＡＳＩＣであってもよいし、または、例えば１つまたは複数のマイクロプロセッサＤＳＰまたは１つまたは複数のフィールドプログラマブルゲートアレイＦＰＧＡなどの、以上のネットワーク機器によって実行される方法を実施する１つまたは複数の集積回路として配置されてもよい。記憶素子は、１つのメモリであってもよく、または複数の記憶素子の総称であってもよい。
【０１０６】
メモリ１０５は、揮発性メモリまたは非揮発性メモリであってもよく、または揮発性と非揮発性メモリの両方を含んでもよい。そのうち、非揮発性メモリは、読み取り専用メモリ（Ｒｅａｄ−Ｏｎｌｙ  Ｍｅｍｏｒｙ、ＲＯＭ）、プログラマブル読み取り専用メモリ（Ｐｒｏｇｒａｍｍａｂｌｅ  ＲＯＭ、ＰＲＯＭ）、消去可能なプログラマブル読み取り専用メモリ（Ｅｒａｓａｂｌｅ  ＰＲＯＭ、ＥＰＲＯＭ）、電気的に消去可能なプログラマブル読み取り専用メモリ（Ｅｌｅｃｔｒｉｃａｌｌｙ  ＥＰＲＯＭ、ＥＥＰＲＯＭ）またはフラッシュメモリであってもよい。揮発性メモリは、外部キャッシュとして使用されるランダムアクセスメモリ（Ｒａｎｄｏｍ  Ａｃｃｅｓｓ  Ｍｅｍｏｒｙ、ＲＡＭ）であってもよい。例示的であるが限定的ではない説明によって、多数の形式のＲＡＭが利用可能であり、スタティックランダムアクセスメモリ（Ｓｔａｔｉｃ  ＲＡＭ、ＳＲＡＭ）、ダイナミックランダムアクセスメモリ（Ｄｙｎａｍｉｃ  ＲＡＭ、ＤＲＡＭ）、同期ダイナミックランダムアクセスメモリ（Ｓｙｎｃｈｒｏｎｏｕｓ  ＤＲＡＭ、ＳＤＲＡＭ）、ダブルデータレート同期ダイナミックランダムアクセスメモリ（Ｄｏｕｂｌｅ  Ｄａｔａ  Ｒａｔｅ  ＳＤＲＡＭ、ＤＤＲＳＤＲＡＭ）、拡張型同期ダイナミックランダムアクセスメモリ（Ｅｎｈａｎｃｅｄ  ＳＤＲＡＭ、ＥＳＤＲＡＭ）、同期接続ダイナミックランダムアクセスメモリ（Ｓｙｎｃｈｌｉｎｋ  ＤＲＡＭ、ＳＬＤＲＡＭ）及びダイレクトラムバスランダムアクセスメモリ（Ｄｉｒｅｃｔ  Ｒａｍｂｕｓ  ＲＡＭ、ＤＲＲＡＭ）。本願に記述されたメモリ１０５は、これらのメモリ及びほかの任意の適切なタイプのメモリを含むが、これらに制限されないことを意図する。
【０１０７】
具体的には、本開示のいくつかの実施例のネットワーク機器は、メモリ１０５に記憶され、プロセッサ１０４上で運行できるコンピュータプログラムをさらに備え、プロセッサ１０４は、メモリ１０５におけるコンピュータプログラムを呼び出して、図８に示される各モジュールによって実行される方法を実行する。
【０１０８】
具体的には、コンピュータプログラムがプロセッサ１０４によって呼び出されるとき、ソースノード及びターゲットノードの二重接続ＤＣ配置情報、及びターゲットノードの一重接続ＳＣ配置情報が携帯されている切り替えコマンドを端末に送信することを実行するために用いられる。そのうち、ネットワーク機器は、グローバルモバイル通信（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）、または符号分割多元接続（Ｃｏｄｅ  Ｄｉｖｉｓｉｏｎ  Ｍｕｌｔｉｐｌｅ  Ａｃｃｅｓｓ、ＣＤＭＡ）における基地局（Ｂａｓｅ  Ｔｒａｎｓｃｅｉｖｅｒ  Ｓｔａｔｉｏｎ、ＢＴＳ）であってもよく、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標））における基地局（ＮｏｄｅＢ、ＮＢ）であってもよく、さらに、ＬＴＥにおける進化型基地局（Ｅｖｏｌｕｔｉｏｎａｌ  Ｎｏｄｅ  Ｂ、ｅＮＢまたはｅＮｏｄｅＢ）、または中継局、アクセスポイント、または将来の５Ｇネットワークにおける基地局等であってもよく、ここで限定しない。
【０１０９】
本開示のいくつかの実施例のソースノードは、ＤＣ配置情報とＳＣ配置情報が携帯されている切り替えコマンドを端末に送信することにより、端末は、切り替えプロセスにおいて、まずＤＣ配置情報に基づき、ソースノード及びターゲットノードの二重接続を確立し、それからＳＣ配置情報に基づき、二重接続のうち、ソースノードの接続を切断することにより、ターゲットノードの一重接続に切り替える。そうすると、ＤＣ  ＨＯプロセスにおける接続配置をサポートすることができ、ＤＣ  ＨＯプロセスのノーマルな進行を確保することができる。それにより、端末の移動中の０ｍｓ端末時間遅延要求を満たす。
【０１１０】
当業者であれば理解することができるように、本明細書に開示された実施例を結び付けて記述された各例示的なユニット及びアルゴリズムステップは、電子ハードウェア、または、コンピュータソフトウェアと電子ハードウェアの組み合わせによって実現できる。これらの機能がハードウェアの形態かソフトウェアの形態かで実行されるかは、技術案の特定の応用や設計の制限条件によって決められる。当業者は、各特定の応用に応じて、異なる方法で、記述される機能を実現することができるが、このような実現は、本開示の範囲を逸脱すると考えられるべきではない。
【０１１１】
当業者が明瞭に理解することができるように、記述の便宜上、且つ、簡潔のために、上記の記述されるシステム、装置及びユニットの具体的な作動プロセスは、前述方法実施例における対応するプロセスを参照すればよい。ここで説明を省略する。
【０１１２】
本出願による実施例では、理解すべきであることは、開示された装置及び方法は、他の形態により実現されてもよい。例えば、以上に記述された装置の実施例は、例示的なものに過ぎず、例えば、前記ユニットの区分は、ロジック機能の区分に過ぎず、実際に実現する時、別の区分方式があってもよい。例えば、複数のユニットまたは要素は、別のシステムに組み合わせまたは集積してもよく、または一部の特徴を無視したり実行しなかったりしてもよい。また、表示または検討される同士間の結合や直接的な結合や通信による接続は、いくつかのインターフェース、装置またはユニットを介する間接的な結合または通信による接続であってもよく、電気的、機械的、または、他の形態であってもよい。
【０１１３】
前述した、分離部材として説明されたユニットは、物理的に分離してもよく、物理的に分離しなくてもよい。ユニットとして表示される部材は、物理的ユニットであってもよく、または、物理的ユニットでなくてもよい。すなわち、１つの場所に位置してもよく、または、複数のネットワークユニットに分散してもよい。実際のニーズに応じて、その一部またはすべてのユニットを選択して本実施例の技術案の目的を実現することができる。
【０１１４】
また、本開示の各実施例における各機能ユニットは、１つの処理ユニットに集積されてもよく、それぞれのユニットが単独として物理的に存在してもよく、２つ以上のユニットが１つのユニットに集積されてもよい。
【０１１５】
前記機能は、ソフトウェア機能ユニットの形態で実現され、且つ独立した製品として販売または使用される場合、コンピュータ可読記憶媒体に記憶されてもい。このような理解に基づき、本開示の技術案では、本質的に、または従来技術に寄与する部分、またはこの技術案の一部は、ソフトウェア製品の形態で具現化できる。このコンピュータのソフトウェア製品は、記憶媒体に記憶され、一台のコンピュータ機器（パーソナルコンピュータ、サーバ、またはネットワーク機器などであってもよい）に本開示の各実施例に記載の方法の全部または一部のステップを実行させるための若干の指令を含む。前述した記憶媒体は、Ｕディスク、モバイルディスク、ＲＯＭ、ＲＡＭ、磁気ディスクまたは光ディスクなど、プログラムコードを記憶可能な様々な媒体を含む。
【０１１６】
なお、指摘すべきことは、本開示の装置及び方法において、明らかに、各部材又は各ステップは、分解されたもの及び／または組換えたものであってもよい。これらの分解及び／または組換えは、本開示の等価技術案と見なされるべきである。そして、上記一連の処理を実行するステップは、自然に説明の順に時系列で実行されることができるが、必ずしも時系列で実行される必要がない。なんらかのステップは、並行または互いに独立して実行されてもよい。当業者であれば理解できるように、本開示の方法及び装置のすべて又は任意のステップや部材が、任意のコンピューティング装置（プロセッサ、記憶媒体などを含む）またはコンピューティング装置のネットワークにおいて、ハードウェア、ファームウェア、ソフトウェアまたはそれらの組み合わせによって実現されてもよい。これは、当業者が、本開示の説明を閲覧した場合に、彼らの基本的なプログラミングスキールを利用することにより実現できるものである。
【０１１７】
従って、本開示の目的は、任意のコンピューティング装置において１つのプログラムまたは１セットのプログラムを実行することによっても実現されてもよい。前記コンピューティング装置は、よく知られている汎用装置であってもよい。そのため、本開示の目的は、前記方法または装置を実現するプログラムコードを含むプログラム製品の提供のみによって実現されてもよい。つまり、このようなプログラム製品も本開示を構成し、且つこのようなプログラム製品が記憶されている記憶媒体も本開示を構成する。明らかに、前記記憶媒体は、任意のよく知られている記憶媒体または将来に開発される任意の記憶媒体であってもよい。指摘すべきことは、本開示の装置及び方法では、明らかに、各部材又は各ステップは、分解されたもの及び／または組換えたものであってもよい。これらの分解及び／または組換えは、本開示の等価技術案と見なされるべきである。そして、上記一連の処理を実行するステップは、自然に説明の順に時系列で実行されることができるが、必ずしも時系列で実行される必要がない。なんらかのステップは、並行または互いに独立して実行されてもよい。
【０１１８】
以上に記述された内容は、本開示の選択的な実施の形態である。指摘すべきことは、当業者にとって、本開示に記述された原理を逸脱しない前提で、様々な改良や修飾を行うこともでき、これらの改良や修飾も本開示の保護範囲内に属する。
【符号の説明】
【０１１９】
７０  端末
７１  無線周波数ユニット
７２  ネットワークモジュール
７３  オーディオ出力ユニット
７４  入力ユニット
７５  センサ
７６  表示ユニット
７７  ユーザ入力ユニット
７８  インターフェースユニット
７９  メモリ
８１  ステップ
１０１  アンテナ
１０２  無線周波数装置
１０３  ベースバンド装置
１０４  プロセッサ
１０５  メモリ
１０６  ネットワークインタフェース
６００  端末
６１０  第一の受信モジュール
６２０  第一の確立モジュール
６３０  モジュール
７１０  プロセッサ
７４１  グラフィックスプロセッサ
７４２  マイクロホン
７６１  表示パネル
７７１  タッチパネル
７７２  入力機器
９００  ネットワーク機器
９１０  第五の送信モジュール
１０００  ネットワーク機器
【図１】
2022502953.tif 000003
【図２】
2022502953.tif 000004
【図３】
2022502953.tif 000005
【図４】
2022502953.tif 000006
【図５ａ】
2022502953.tif 000007
【図５ｂ】
2022502953.tif 000008
【図６】
2022502953.tif 000009
【図７】
2022502953.tif 000010
【図８】
2022502953.tif 000011
【図９】
2022502953.tif 000012
【図１０】
2022502953.tif 000013
【手続補正書】
【提出日】令和3年3月29日(2021.3.29)
【手続補正１】
【補正対象書類名】特許請求の範囲
【補正対象項目名】全文
【補正方法】変更
【補正の内容】
【特許請求の範囲】
【請求項１】
端末側に用いられる二重接続切り替え方法であって、
ソースノードから送信された、前記ソースノード及びターゲットノードの二重接続ＤＣ配置情報、及び前記ターゲットノードの一重接続ＳＣ配置情報が携帯されている切り替えコマンドを受信すること、
前記ＤＣ配置情報をサポートする時、前記ＤＣ配置情報に基づき、前記ソースノード及び前記ターゲットノードとの間の二重接続を確立すること、および
前記ＳＣ配置情報に基づき、前記二重接続のうち、前記ソースノードとの接続を切断し、前記ターゲットノードとの一重接続を保持することを含む、二重接続切り替え方法。
【請求項２】
ソースノードから送信された切り替えコマンドを受信するステップの後、前記二重接続切り替え方法は、さらに、
前記ＤＣ配置情報をサポートしない時、前記ソースノードへ、前記ＤＣ配置情報を拒絶する拒絶メッセージを送信することにより、前記ソースノードが前記拒絶メッセージに基づき一重接続切り替えフローを実行することを含む、請求項１に記載の二重接続切り替え方法。
【請求項３】
ソースノードから送信された切り替えコマンドを受信するステップの後、前記二重接続切り替え方法はさらに、
前記切り替えコマンドに基づき、前記ソースノードへ第一の確認情報を送信することを含み、そのうち、前記第一の確認情報は、
前記切り替えコマンドが受信されたかどうか、
前記ＤＣ配置情報が正当であるかどうか、
前記ＳＣ配置情報が正当であるかどうか、
前記二重接続が確立されたかどうか、及び
前記ＳＣ配置情報が応用されたかどうか、のうちの少なくとも一つを確認するために用いられる、請求項１に記載の二重接続切り替え方法。
【請求項４】
前記ＤＣ配置情報に基づき、前記ソースノード及び前記ターゲットノードとの間の二重接続を確立するステップの後、前記二重接続切り替え方法は、さらに、
前記ソースノード及び／又はターゲットノードへ、前記二重接続がすでに確立された第二の確認情報を送信することを含む、請求項１に記載の二重接続切り替え方法。
【請求項５】
前記ＳＣ配置情報に基づき、前記二重接続のうち、前記ソースノードとの接続を切断し、前記ターゲットノードとの一重接続を保持するステップの後、前記二重接続切り替え方法は、さらに、
前記ターゲットノードへ切り替え完成メッセージを送信することを含み、そのうち、前記切り替え完成メッセージは、
前記ＳＣ配置情報がすでに応用されたこと、および
切り替えが完成したこと、のうちの少なくとも一つを指示するために用いられる、請求項１に記載の二重接続切り替え方法。
【請求項６】
前記切り替えコマンドは、無線リソース制御ＲＲＣ再配置メッセージに携帯されており、前記ＲＲＣ再配置メッセージは、第一の業務識別子を有する、請求項１に記載の二重接続切り替え方法。
【請求項７】
前記ＤＣ配置情報及び／又は前記ＳＣ配置情報は、第二の業務識別子を有し、前記第二の業務識別子は、前記第一の業務識別子と異なる、請求項６に記載の二重接続切り替え方法。
【請求項８】
ソースノードから送信された、前記ソースノード及びターゲットノードの二重接続ＤＣ配置情報、及び前記ターゲットノードの一重接続ＳＣ配置情報が携帯されている切り替えコマンドを受信するための第一の受信モジュール、
前記ＤＣ配置情報をサポートする時、前記ＤＣ配置情報に基づき、前記ソースノード及び前記ターゲットノードとの間の二重接続を確立するための第一の確立モジュール、および
前記ＳＣ配置情報に基づき、前記二重接続のうち、前記ソースノードとの接続を切断し、前記ターゲットノードとの一重接続を保持するための切り替えモジュールを含む、端末。
【請求項９】
ネットワーク機器側に用いられる二重接続切り替え方法であって、
前記ネットワーク機器は、ソースノードであり、
前記ソースノード及びターゲットノードの二重接続ＤＣ配置情報、及び前記ターゲットノードの一重接続ＳＣ配置情報が携帯されている切り替えコマンドを端末に送信することを含む、二重接続切り替え方法。
【請求項１０】
端末へ切り替えコマンドを送信するステップの前、前記二重接続切り替え方法は、さらに、
一重接続における前記ソースノードの配置情報、及び二重接続における前記ソースノードの配置情報が携帯されている切り替え要求をターゲットノードに送信すること、および
前記ターゲットノードからフィードバックされた、前記ＤＣ配置情報及び前記ＳＣ配置情報が携帯されている切り替え要求応答を受信すること、を含む、請求項９に記載の二重接続切り替え方法。
【請求項１１】
端末へ切り替えコマンドを送信するステップの後、前記二重接続切り替え方法は、さらに、
前記端末から送信された、前記ＤＣ配置情報の拒絶を前記端末へ指示するための拒絶メッセージを受信すること、および
前記拒絶メッセージに基づき、一重接続切り替えフローを実行することを含む、請求項９に記載の二重接続切り替え方法。
【請求項１２】
端末へ切り替えコマンドを送信するステップの後、前記二重接続切り替え方法は、さらに、
前記端末から送信された第一の確認情報を受信することを含み、そのうち、前記第一の確認情報は、
前記切り替えコマンドが受信されたかどうか、
前記ＤＣ配置情報が正当であるかどうか、
前記ＳＣ配置情報が正当であるかどうか、
前記二重接続が確立されたかどうか、及び
前記ＳＣ配置情報が応用されたかどうか、のうちの少なくとも一つを確認するために用いられる、請求項９に記載の二重接続切り替え方法。
【請求項１３】
前記端末から送信された第一の確認情報を受信するステップの後、前記二重接続切り替え方法は、さらに、
ターゲットノードへ第一の切り替え確認メッセージを送信すること、および
前記ターゲットノードによって前記第一の切り替え確認メッセージに基づきフィードバックされた第二の切り替え確認メッセージを受信すること、請求項１２に記載の二重接続切り替え方法。
【請求項１４】
端末へ切り替えコマンドを送信するステップの後、前記二重接続切り替え方法はさらに、
前記端末またはターゲットノードから送信された、前記二重接続がすでに確立されたことを指示するための第二の確認情報を受信すること含む、請求項９に記載の二重接続切り替え方法。
【請求項１５】
ソースノードであるネットワーク機器であって、
前記ソースノード及びターゲットノードの二重接続ＤＣ配置情報、及び前記ターゲットノードの一重接続ＳＣ配置情報が携帯されている切り替えコマンドを端末に送信するための第五の送信モジュールを含む、ネットワーク機器。
【請求項１６】
コンピュータプログラムが記憶されており、前記コンピュータプログラムがプロセッサによって実行される時、請求項１〜７、９〜１４のいずれか１項に記載の二重接続切り替え方法のステップを実現させる、コンピュータ可読記憶媒体。
【手続補正２】
【補正対象書類名】明細書
【補正対象項目名】００２９
【補正方法】変更
【補正の内容】
【００２９】
ステップ４１の後、切り替えコマンドに基づき、ソースノードへ第一の確認情報を送信することをさらに含み、そのうち、第一の確認情報は、
切り替えコマンドが受信されたかどうか、
ＤＣ配置情報が正当であるかどうか、
ＳＣ配置情報が正当であるかどうか、
二重接続が確立されたかどうか、及び
ＳＣ配置情報が応用されたかどうか、のうちの少なくとも一つを確認するために用いられる。
【国際調査報告】
2022502953.tif 000014
2022502953.tif 000015
2022502953.tif 000016
2022502953.tif 000017
2022502953.tif 000018